Podtech/llm-jp-corpus-v4-ja_patent huggingface dataset:
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
リチウム金属、リチウム合金、リチウム金属とリチウム合金と他の材料の混合物、スズ、又はシリコンのうちの少なくとも１つを含有するアノードと、
カソードと、
前記アノードと前記カソードとの間に配置されたセパレータと
を備えるバッテリであって、前記セパレータは、イオンを伝導することができる少なくとも１つの誘電体層を含み、前記少なくとも１つの誘電体層は、１ナノメートルから２，０００ナノメートルの厚みを有し、前記アノードの表面上か、前記カソードの表面上か、或いは前記アノードの表面上及び前記カソードの表面上の両方に直接形成される、バッテリ。
【請求項２】
前記セパレータを介して、前記アノード及び前記カソードとイオンをやりとりする電解質を更に含む、請求項１に記載のバッテリ。
【請求項３】
前記カソードに接触する正の電流コレクタと、
前記アノードに接触する負の電流コレクタとを更に備え、前記正の電流コレクタと前記負の電流コレクタは、アルミニウム（Ａｌ）、銅（Ｃｕ）、亜鉛（Ｚｎ）、ニッケル（Ｎｉ）、コバルト（Ｃｏ）、スズ（Ｓｎ）、シリコン（Ｓｉ）、マンガン（Ｍｎ）、マグネシウム（Ｍｇ）、これらの合金、及びこれらの組み合わせからなる群から選択された材料をそれぞれ独立に含む、請求項１に記載のバッテリ。
【請求項４】
前記誘電体層は、多孔質窒化ホウ素、酸化アルミニウム、多孔質−ＺｒＯ２、多孔質−ＳｉＯ２、多孔質−ＭｇＯ、多孔質−ＴｉＯ２、多孔質−Ｔａ２Ｏ５、多孔質−Ｎｂ２Ｏ５、多孔質−ＬｉＡｌＯ２、多孔質−ＢａＴｉＯ３、イオン伝導性ガーネット、イオン伝導性ペロブスカイト、イオン伝導性逆ペロブスカイト、多孔質ガラス誘電体、及びこれらの組み合わせからなる群から選択された材料である、請求項１に記載のバッテリ。
【請求項５】
前記誘電体層は多孔質酸化アルミニウム層である、請求項１に記載のバッテリ。
【請求項６】
前記多孔質酸化アルミニウム層は更に、酸化ジルコニウム、酸化ケイ素、又はこれらの組み合わせを含む、請求項５に記載のバッテリ。
【請求項７】
前記誘電体層は、結合剤なしの誘電体層である、請求項１に記載のバッテリ。
【請求項８】
処理領域に配置された電極構造上に堆積される材料を蒸発プロセスに曝露すること、
前記処理領域に反応性ガスを流し込むこと、及び、
反応性ガスと蒸発した材料を反応させて、前記電極構造の少なくとも一部の上に多孔質誘電体層を堆積すること
を含む、バッテリのための電極構造を形成する方法。
【請求項９】
前記材料は、アルミニウム（Ａｌ）、ジルコニウム（Ｚｒ）、ハフニウム（Ｈｆ）、ニオブ（Ｎｂ）、タンタル（Ｔａ）、チタン（Ｔｉ）、イットリウム（Ｙ）、ランタン（Ｌａ）、シリコン（Ｓｉ）、ホウ素（Ｂ）、銀（Ａｇ）、クロム（Ｃｒ）、銅（Ｃｕ）、インジウム（Ｉｎ）、鉄（Ｆｅ）、マグネシウム（Ｍｇ）、カルシウム（Ｃａ）、ストロンチウム（Ｓｒ）、バリウム（Ｂａ）、ニッケル（Ｎｉ）、スズ（Ｓｎ）、イッテルビウム（Ｙｂ）、リチウム（Ｌｉ）、カルシウム（Ｃａ）、及びこれらの組み合わせからなる群から選択される、請求項８に記載の方法。
【請求項１０】
前記反応性ガスは、酸素（Ｏ２）、オゾン（Ｏ３）、酸素ラジカル（Ｏ＊）、イオン化した酸素原子、二酸化炭素（ＣＯ２）窒素酸化物（ＮＯｘ）、水蒸気、及びこれらの組み合わせからなる群から選択される、請求項８に記載の方法。
【請求項１１】
前記誘電体層は酸化アルミニウムである、請求項８に記載の方法。
【請求項１２】
前記蒸発プロセスは、熱蒸発プロセス又は電子ビーム蒸発プロセスである、請求項８に記載の方法。
【請求項１３】
前記電極構造は、当該電極構造の核形成条件を高めるため、表面改質処理プロセスに曝露される、請求項８に記載の方法。
【請求項１４】
前記表面改質処理プロセスは、
処理混合ガスを前記処理領域へ供給すること、及び、
前記電極構造の少なくとも一部をプラズマ処理するため、酸素含有ガス、不活性ガス、又はこれらの組み合わせを含む前記処理混合ガスからプラズマを形成すること
を含む、請求項１３に記載の方法。
【請求項１５】
材料を蒸発プロセスに曝露する前に、前記電極構造を冷却プロセスに曝露すること
を更に含み、前記冷却プロセスは、前記電極構造を−２０℃から２２℃の間の温度まで冷却する、請求項８に記載の方法。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
自動保存の方法であって、
クライアントデバイスのウェブブラウザが、サーバに対応するウェブサイトと対話するユーザによって行なわれたユーザアクションを受信するステップと、
前記ユーザアクションに対応する変更記録を判断するステップと、
ローカルモデルへの対応する変更をコミットするために、前記変更記録を第１のキューに入れるステップと、
前記変更記録を前記サーバで持続させるために、前記変更記録を、前記サーバと通信する第２のキューに入れるステップとを含む、方法。
【請求項２】
前記サーバはユーザインターフェイス（ＵＩ）をホストし、前記ユーザアクションは前記ＵＩと対話する際に前記ユーザによって行なわれ、前記方法はさらに、
前記ユーザアクションに基づいてトランザクションを判断するステップを含み、前記トランザクションは、前記ＵＩに対応するモデルを修正するように構成され、前記方法はさらに、
前記ＵＩの第１のＵＩ状態および前記モデルの第１のモデル状態を格納するステップと、
前記トランザクションをコミットするステップと、
第１のユーザ対話に基づいて前記トランザクションをアンドゥすることを判断するステップと、
前記ＵＩを前記第１のＵＩ状態に復元し、前記モデルを前記第１のモデル状態に復元するステップとを含む、請求項１に記載の方法。
【請求項３】
前記第１のモデル状態は前記トランザクションをアンドゥする前に復元され、前記第１のＵＩ状態は前記トランザクションをアンドゥした後に復元される、請求項２に記載の方法。
【請求項４】
前記トランザクションがコミットされた後、および前記第１のユーザ対話の前に、前記ＵＩの第２のＵＩ状態および前記モデルの第２のモデル状態が格納される、請求項２または３に記載の方法。
【請求項５】
第２のユーザ対話に基づいて前記トランザクションをリドゥすることを判断するステップと、
前記ＵＩを前記第２のＵＩ状態に復元し、前記モデルを前記第２のモデル状態に復元するステップとをさらに含む、請求項４に記載の方法。
【請求項６】
前記第２のモデル状態は前記トランザクションをリドゥする前に復元され、前記第２のＵＩ状態は前記トランザクションをリドゥした後に復元される、請求項５に記載の方法。
【請求項７】
前記ウェブサイトはアプリケーション開発ウェブサイトであり、前記サーバはアプリケーション開発サーバである、請求項１〜６のいずれか１項に記載の方法。
【請求項８】
前記トランザクションは、多くの関連するモデル変更を構成する、請求項２〜６のいずれか１項に記載の方法。
【請求項９】
前記トランザクションは、その実行中にエラーが生じない場合にコミットされる、請求項２〜６のいずれか１項に記載の方法。
【請求項１０】
前記ＵＩは２つ以上のＵＩピースを含み、前記第１のＵＩ状態は、前記ＵＩの各ピースについてのＵＩ状態を含む、請求項２〜６のいずれか１項に記載の方法。
【請求項１１】
前記ＵＩの各ＵＩピースの前記ＵＩ状態は、前記ＵＩの他のＵＩピースから独立して格納され、復元される、請求項１０に記載の方法。
【請求項１２】
前記第１のキューは、前記ウェブサイトと対話する際にアンドゥ動作およびリドゥ動作を行なうために変更記録の履歴を維持する、順序付けられた持続キューである、請求項１〜１１のいずれか１項に記載の方法。
【請求項１３】
前記第２のキューは、変更記録が一度に１つずつ処理され、各変更記録は、前記第２のキューにおける前の変更記録が前記サーバ上に無事記録された場合のみ、サーバへ送信される、順序付けられたキューである、請求項１〜１２のいずれか１項に記載の方法。
【請求項１４】
前記変更記録は、前記サーバと無事通信された後に前記第２のキューから除去される、請求項１〜１３のいずれか１項に記載の方法。
【請求項１５】
前記第２のキューは要求／応答メカニズムを通して前記サーバと通信し、前記要求／応答メカニズムでは、前記第２のキューにおける各変更記録は前記サーバへ送信され、前記サーバは次に、前記変更記録が前記サーバで持続されたかどうかを示す対応する応答を送り返す、請求項１〜１４のいずれか１項に記載の方法。
【請求項１６】
前記変更記録は、前記ウェブサイトにおける前記ユーザアクションによって生じたモデル変更を反映しており、関連するモデル変更を構成するトランザクションにおいて追加される、請求項１〜１５のいずれか１項に記載の方法。
【請求項１７】
前記トランザクションがコミットされると、前記トランザクションにおける変更記録が前記第１のキューに配置され、前記トランザクションは、その実行中にエラーが生じない場合にコミットされる、請求項２〜６のいずれか１項に記載の方法。
【請求項１８】
前記トランザクションが記録されると、前記トランザクションにおける変更記録が前記第２のキューに配置され、前記トランザクションは、その変更が対応するクライアント側モデルに適用され、あらゆる必要なユーザインターフェイスが対応する変更を反映するように更新されたときに記録される、請求項１７に記載の方法。
【請求項１９】
請求項１〜１８のいずれか１項に記載の方法をプロセッサに実行させるためのコンピュータプログラム。
【請求項２０】
クライアントデバイスのウェブブラウザによって、サーバに対応するウェブサイトと対話するユーザによって行なわれたユーザアクションを受信する、受信モジュールと、
前記ユーザアクションに対応する変更記録を判断する判断モジュールと、
ローカルモデルへの対応する変更をコミットするために、前記変更記録を第１のキューに入れる第１のキューイングモジュールと、
前記変更記録を前記サーバで持続させるために、前記変更記録を、前記サーバと通信する第２のキューに入れる第２のキューイングモジュールとを含む、自動保存システム。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
前輪、後輪、モータ、及びステアリングホイールを含む乗客車両であって、該前輪及び該後輪は、面上に配置され、該モータは、該前輪に動力を与えて該乗客車両を推進するように構成され、及び該ステアリングホイールは、該後輪の位置を調節して該乗客車両がドリフトすることを可能にするように構成される、乗客車両と、
前記面にトラフを形成する軌道と、
前記乗客車両がドリフトすることを可能にするために該乗客車両にヒンジで連結され、前記トラフ内に配置され、かつ前記軌道に沿って該乗客車両の移動を導くように構成されたボギー台車と、
を含む乗り物アセンブリ。
【請求項２】
前記面は、コンクリート又はアスファルトを含む、請求項１に記載の乗り物アセンブリ。
【請求項３】
前記トラフは、該トラフ内に水が溜まることを防止するように構成された排水口を含む、請求項１に記載の乗り物アセンブリ。
【請求項４】
前記乗客車両は、受信機を含み、前記面は、１又は２以上のエミッタを含み、該受信機は、該乗客車両が該エミッタの上方に位置するときに該１又は２以上のエミッタのうちの１つのエミッタを検出するように構成される、請求項１に記載の乗り物アセンブリ。
【請求項５】
乗客制御機能が、前記受信機が前記エミッタを検出したときに起動される、請求項４に記載の乗り物アセンブリ。
【請求項６】
前記乗客制御機能は、起動されたときに前記面に対して垂直方向に前記乗客車両を弾ませるように構成される、請求項５に記載の乗り物アセンブリ。
【請求項７】
前記乗客制御機能は、起動されたときに前記乗客車両の移動を加速するように構成される、請求項５に記載の乗り物アセンブリ。
【請求項８】
前記ボギー台車に連結されて前記トラフ内に配置され、前記後輪の進行経路に位置合わせされて前記面と実質的に同一平面であるように構成されたスロットフィラーを含む、請求項１に記載の乗り物アセンブリ。
【請求項９】
前記乗客車両は、該乗客車両が予め決められた距離を超えてドリフトすることを阻止するように構成された停止機構を含む、請求項１に記載の乗り物アセンブリ。
【請求項１０】
前記モータは、電気式であり、かつ前記トラフ内に配置された電力ストリップに接触するブラシから電力を受け取るように構成される、請求項１に記載の乗り物アセンブリ。
【請求項１１】
前輪、後輪、電気モータ、及びステアリングシステムを含む乗客車両であって、該前輪及び該後輪は、面上に配置され、該電気モータは、該前輪に動力を与えて該乗客車両を推進させ、及び該ステアリングシステムに動力を与えるように構成され、該ステアリングシステムは、該乗客車両がドリフトすることができるように該電気モータからの該動力を利用して該乗客車両の位置を調節するように構成され、及び該ステアリングシステムは、該乗客車両が予め決められた距離を超えてドリフトすることを阻止するように構成される、乗客車両と、
前記面にトラフを形成する軌道と、
前記乗客車両がドリフトすることを可能にするために該乗客車両にヒンジで連結され、前記トラフ内に配置され、かつ前記軌道に沿って該乗客車両の移動を導くように構成されたボギー台車と、
を含む乗り物アセンブリ。
【請求項１２】
前記ステアリングシステムは、Ａｃｋｅｒｍａｎｎステアリングシステムを含む、請求項１１に記載の乗り物アセンブリ。
【請求項１３】
前記ステアリングシステムは、ギアと前記乗客車両に連結されたねじ切りロッドとを含み、該ギアは、回転して、該ねじ切りロッドが前記軌道に対する前記乗客車両の位置を調節するように構成される、請求項１１に記載の乗り物アセンブリ。
【請求項１４】
前記ボギー台車は、前記面に接触するように構成された１又は２以上の上側停止ホイール、前記トラフの側面に接触するように構成された１又は２以上の側面案内ホイール、又はその組合せを含む、請求項１１に記載の乗り物アセンブリ。
【請求項１５】
前記ボギー台車は、１又は２以上の案内軌道に連結され、
前記ボギー台車は、前記１又は２以上の案内軌道に沿って移動するように構成された１又は２以上のホイールを含む、請求項１１に記載の乗り物アセンブリ。
【請求項１６】
前記乗客車両は、受信機を含み、前記面は、１又は２以上のエミッタを含み、該受信機は、該乗客車両が該エミッタの上方に位置するときに該１又は２以上のエミッタのうちの１つのエミッタを検出するように構成される、請求項１１に記載の乗り物アセンブリ。
【請求項１７】
前輪、後輪、ステアリングシステム、及び受信機を含む乗客車両であって、該前輪及び該後輪は、面上に配置され、該ステアリングシステムは、該乗客車両の位置を調節して該乗客車両がドリフトすることを可能にし、及び該乗客車両が予め決められた距離を超えてドリフトすることを阻止するように構成され、並びに該受信機は、該乗客車両がエミッタの上方に位置するときに該面上に配置された該エミッタを検出するように構成される、乗客車両と、
前記面にトラフを形成する軌道と、
前記乗客車両がドリフトすることを可能にするために該乗客車両にヒンジで連結され、前記トラフ内に配置され、かつ前記軌道に沿って該乗客車両を移動するように構成されたボギー台車と、
を含む乗り物アセンブリ。
【請求項１８】
前記乗客車両は、前記受信機に結合されたコントローラを含み、該コントローラは、前記受信機が前記エミッタを検出したときに乗客制御機能を起動するように構成される、請求項１７に記載の乗り物アセンブリ。
【請求項１９】
前記乗客制御機能は、起動されたときに前記面に対して垂直方向に前記乗客車両を弾ませるように構成される、請求項１８に記載の乗り物アセンブリ。
【請求項２０】
前記乗客制御機能は、起動されたときに前記乗客車両の移動を加速するように構成される、請求項１８に記載の乗り物アセンブリ。
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
上気道内における閉塞の存在及び部位の決定に使用されるカテーテルであって、前記カテーテルは、
前記上気道内に挿入されると当該上気道の長さに沿った異なる地点と一致するように、前記カテーテルの長さ区間に沿った異なる地点に位置付けられ、各々が音響信号を放射する、複数の音響トランスデューサ要素と、
前記カテーテルの前記長さ区間に沿った異なる地点に位置付けられ、各々が前記音響信号のうちの１つ又は複数を検出する、複数の音響センサ要素と、
を備え、
前記音響トランスデューサ要素及び／又は前記音響センサ要素は、前記上気道内へ挿入されると、これらの間のスペースが、軟口蓋、中咽頭、舌及び喉頭蓋のうちの１つ又は複数と一致するように位置付け可能なように配列され、
前記カテーテルは、２つの音響トランスデューサ要素によって分離され、当該２つの音響トランスデューサ要素と交互に配置されている、３つの音響センサ要素を備える、カテーテル。
【請求項２】
前記音響トランスデューサ要素の各々は、異なる周波数の音響信号を放射する、請求項１に記載のカテーテル。
【請求項３】
上気道内及び／又は口腔内における閉塞の部位を検出し、決定するためのシステムであって、前記システムは、
請求項１又は２に記載のカテーテルと、
音響センサ要素の各々によって生成された１つ又は複数の出力であって、それぞれの前記音響センサ要素によって検出された音響信号の各々の強度を表す、出力を受信し、検出された前記音響信号の強度に基づいて、前記上気道内における前記閉塞の存在、及び１つ又は複数の前記音響センサ要素の位置に対する前記閉塞の位置を決定する処理ユニットと、
を備える、システム。
【請求項４】
前記処理ユニットは、前記音響センサ要素の各々において検出された信号強度とメモリ内に記憶された１つ又は複数の基準強度との比較によって、前記閉塞の存在及び位置を決定する、請求項３に記載のシステム。
【請求項５】
前記音響センサ要素の各々は、前記音響トランスデューサ要素の各々によって放射された前記音響信号のそれぞれを検出することにより、検出された前記音響信号のセットを表す出力を生成し、前記処理ユニットは、前記音響センサ要素の各々において検出された信号強度のセットと、メモリ内に記憶された１つ又は複数の基準セットとの比較によって、前記閉塞の存在及び位置を決定する、請求項３又は４に記載のシステム。
【請求項６】
上気道内における１つ又は複数の閉塞の部位を決定するための処理の方法であって、前記方法は、
音響センサ要素を用いて得られる１つ又は複数の音響信号の強度に対応する強度値を受信するステップであって、前記音響信号は、前記上気道の長さ区間に沿って位置する複数の検出地点において受信され、各々の検出された前記音響信号は、前記上気道の前記長さ区間に沿って間隔を空けて配置された複数の放射地点のうちの１つにおいて音響トランスデューサ要素を用いて放射された音響信号に由来し、前記音響トランスデューサ要素によって生成される音響信号、及び／又は前記音響センサ要素によって受信される音響信号は、これらの間のスペースが、軟口蓋、中咽頭、舌及び喉頭蓋のうちの１つ又は複数と一致するような部位において生成され受信される、ステップと、
前記複数の検出地点の各々において検出された強度に基づいて、前記検出地点の位置に対する、前記上気道内における前記閉塞の存在及び位置を決定するステップと、
を含み、
前記放射地点は前記検出地点と交互に配置されて、３つの検出地点が２つの放射地点によって分離されている、方法。
【請求項７】
前記閉塞の存在及び位置は、前記複数の検出地点の各々において検出された前記強度を１つ又は複数の基準強度と比較することを通じて決定される、請求項６に記載の方法。
【請求項８】
前記検出地点の各々は、複数の前記放射地点のうちの１つに各々が由来する、複数の音響信号を受信する、請求項７に記載の方法。
【請求項９】
前記決定するステップは、対応する前記音響信号が受信された前記検出地点に係る受信した信号強度をグループ化するステップと、前記受信した信号強度によって形成されたグループを、メモリ内に記憶された１つ又は複数の基準グループと比較するステップとを含む、請求項８に記載の方法。
【請求項１０】
１つ又は複数の前記放射地点の各々において放射される前記音響信号の各々は、異なる周波数を有する、請求項６乃至９の何れか一項に記載の方法。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
寛骨臼から寛骨臼カップを除去するように構成される手術道具であって、前記寛骨臼カップはリバース・ヒップ・プロテーゼの構成要素であり、前記寛骨臼カップの凹面から延在している茎部に取り付けられている寛骨臼ボールを含み、
前記手術道具は、
シャフトと、
その近位端で前記シャフトの遠位端に取り付けられている摘出器カップであり、その遠位端に、前記寛骨臼ボール上に関節のように接合接触されるような大きさに作製されている凹面を有する、摘出器カップと、
前記シャフトに取り付けられている近位端と、前記寛骨臼カップの凸面に隣接してまたはごく近接して移動するような大きさに作製されている遠位部分とを有する刃であり、前記寛骨臼カップの前記凸面は前記寛骨臼と接触している、刃と、
前記摘出器カップを前記シャフトに取り付けるように構成される、取り外し可能なドライバー・レンチと、
を含む、手術道具。
【請求項２】
前記シャフト内に移動可能に配置されておりかつ前記手術道具への下向きの圧力を維持しながら前記手術道具の回転を容易にするようになされているレバー・アームをさらに含む、請求項１に記載の手術道具。
【請求項３】
請求項１に記載の手術道具を含むキット。
【請求項４】
前記摘出器カップの前記凹面を前記寛骨臼ボールと関節のように接合接触されるように配置するステップと、
前記寛骨臼カップの凸面に隣接したまたはごく近接した位置において、前記刃の前記遠位部分を前記寛骨臼内へ移動させるステップと、
次に前記摘出器カップを前記寛骨臼ボール上で回転させ、それにより、前記寛骨臼カップが前記寛骨臼から分離されるまで、前記寛骨臼カップの前記凸面の周囲でかつ前記カップと前記寛骨臼との間で、前記刃を回転させるステップと
を含む、請求項１に記載の前記手術道具を使用する方法。
【請求項５】
前記寛骨臼カップが前記寛骨臼から分離されるまで、長さが増大する刃が順次使用される、請求項４に記載の方法。
【請求項６】
寛骨臼から寛骨臼カップを除去ように構成される手術道具であって、前記寛骨臼カップはリバース・ヒップ・プロテーゼの構成要素であり、前記寛骨臼カップの凹面から延在している茎部に取り付けられている寛骨臼ボールを含み、
前記手術道具は、
シャフトと、
その近位端で前記シャフトの遠位端に同心円状に取り付けられている摘出器カップであり、その遠位端に、前記寛骨臼ボール上に関節のように接合接触されるような大きさに作製されている凹面を有する、摘出器カップと、
前記シャフトに取り付けられている近位端と、前記寛骨臼カップの凸面に隣接してまたはごく近接して移動するような大きさに作製されている遠位部分とを有する刃であり、前記寛骨臼カップの前記凸面は前記寛骨臼と接触している、刃と、
前記摘出器カップを前記シャフトに取り付けるのに使用される、取り外し可能なドライバー・レンチと、
を含む、手術道具。
【請求項７】
前記摘出器カップは、スナップ嵌合によって前記シャフトの遠位端に取り付けられている、請求項６に記載の手術道具。
【請求項８】
前記摘出器カップは、ねじ込み継手によって前記シャフトの遠位端に取り付けられている、請求項６に記載の手術道具。
【請求項９】
寛骨臼から寛骨臼カップを除去する手術道具であって、前記寛骨臼カップはリバース・ヒップ・プロテーゼの構成要素であり、前記寛骨臼カップの凹面から延在している茎部に取り付けられている寛骨臼ボールを含み、
前記手術道具は、
シャフトと、その近位端で前記シャフトの遠位端に固定された摘出器カップへの下向きの圧力を維持しながら該シャフトの回転を容易にする可動レバー・アームと、を有するハンドルであって、前記摘出器カップは、前記寛骨臼ボール上に関節のように接合接触されるような大きさに作製されている凹面を有する、ハンドルと、
前記シャフトに取り付けられている近位端と、前記寛骨臼カップの凸面に隣接してまたはごく近接して移動するような大きさに作製されている遠位部分とを有する刃であり、前記寛骨臼カップの前記凸面は前記寛骨臼と接触している、刃と、
前記摘出器カップを前記シャフトに取り付けるのに使用される、取り外し可能なドライバー・レンチと、
を含む、手術道具。
【請求項１０】
前記摘出器カップは、スナップ嵌合によって前記シャフトの遠位端に取り付けられている、請求項９に記載の手術道具。
【請求項１１】
前記摘出器カップは、ねじ込み継手によって前記シャフトの遠位端に取り付けられている、請求項９に記載の手術道具。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
寛骨臼カップを寛骨臼に固定するために使用されるねじを収容するための穴を前記寛骨臼にあけるために適用される外科用ツール・システムであって、前記寛骨臼カップは、底部から延びるステムを有する窪み部と、前記寛骨臼カップの周縁に近接して前記窪み部に配置されたカップ・スロットと、前記寛骨臼カップを前記寛骨臼に固定するためのねじを収容する１つまたは複数の貫通穴と、を含む、外科用ツール・システムにおいて、
前記窪み部に嵌合するように寸法決めされたドリル・ガイドであって、前記ドリル・ガイドが前記寛骨臼カップに最適に配置されたとき前記カップ・スロットに係合するように配置されたばね荷重式ピンを有し、前記寛骨臼カップの前記貫通穴とほぼ同心円状に整列し間隔をあけるように寸法決めされた１つまたは複数の貫通穴、および、各穴について設けられたガイド窪みをさらに含み、各ガイド窪みは、前記ドリル・ガイドの周縁部で前記ドリル・ガイドを横切る梁部材に配置される、ドリル・ガイドと、
遠位端に配置されたドリル・ビット・ガイドを有するシャフトを含むハンドルであって、前記ドリル・ビット・ガイドは、ドリル・ビット・ガイド遠位端および側部を有し、前記ドリル・ビット・ガイドは、穴に係合するような大きさであり、前記側部は、それぞれの穴のためにガイド窪みに係合するように配置される、ハンドルと、
切断部分および前記ドリル・ビット・ガイドを貫通する大きさのシャフトを有するドリル・ビットと、
を含む、外科用ツール・システム。
【請求項２】
寛骨臼カップを寛骨臼に固定するために使用されるねじを収容するための穴を前記寛骨臼にあけるために適用される外科用ツール・システムであって、前記寛骨臼カップは、窪み部と、前記寛骨臼カップの周縁に近接して前記窪み部に配置されたカップ・スロットと、前記寛骨臼カップを前記寛骨臼に固定するためのねじを収容する１つまたは複数の貫通穴と、を含む、外科用ツール・システムにおいて、
前記窪み部に嵌合するように寸法決めされたドリル・ガイドであって、前記ドリル・ガイドが前記寛骨臼カップに最適に配置されたとき前記カップ・スロットに係合するように配置されたばね荷重式ピンを有し、前記寛骨臼カップの前記貫通穴とほぼ同心円状に整列し間隔をあけるように寸法決めされた１つまたは複数の貫通穴、および、各穴について設けられたガイド窪みをさらに含み、各ガイド窪みは、前記ドリル・ガイドの周縁部で前記ドリル・ガイドを横切る梁部材に配置される、ドリル・ガイドと、
前記遠位端に配置されたドリル・ビット・ガイドを有するシャフトを含むハンドルであって、前記ドリル・ビット・ガイドは、ドリル・ビット・ガイド遠位端および側部を有し、前記ドリル・ビット・ガイドは、穴に係合するような大きさであり、前記側部は、それぞれの穴のためにガイド窪みに係合するように配置される、ハンドルと、
切断部分および前記ドリル・ビット・ガイドを貫通する大きさのシャフトを有するドリル・ビットと、
を含む、外科用ツール・システム。
【請求項３】
請求項１または２に記載の外科用ツール・システムを含むキット。
【請求項４】
請求項１または２に記載の外科用ツール・システムを使用する方法であって、順次、
寛骨臼に配置された寛骨臼カップに前記ドリル・ガイドを配置し、前記ピンが前記カップ・スロットに係合するまで前記ドリル・ガイドを回転させるステップと、
前記ドリル・ビット・ガイドにドリル・ビットを挿入し、前記ドリル・ビット・ガイドの前記遠位端を貫通穴に配置し、前記穴に対応する前記ガイド窪みを前記ドリル・ビット・ガイドの前記側部に係合させるステップと、
前記寛骨臼に穴をあけ、前記ドリル・ビットおよび前記ドリル・ビット・ガイドを取り外し、前記穴にねじを挿入し、前記ねじを締めるステップと、
を含む、外科用ツール・システムを使用する方法。
【請求項５】
請求項１または２に記載の前記ドリル・ガイドを前記寛骨臼カップに挿入し、請求項１または２に記載の前記ドリル・ガイドを前記寛骨臼カップから取り外すための挿入取り外しツールであって、
ピボット・ピンによって接続されピボット・ピンの周りに回転可能である２つのレバーであって、各レバーは近位端と遠位端とを有し、前記近位端の互いに向かう移動が前記遠位端の互いに向かう移動を引き起こすように、前記ピンは前記近位端と前記遠位端との間に配置された、２つのレバーと、
前記近位端の近くに配置され、前記レバーが互いに向かって移動された後に前記レバーが互いに離れる方向に回転することを防止する、解放可能なラチェット部と、
を含む、挿入取り外しツール。
【請求項６】
請求項５に記載の挿入取り外しを含むキット。
【請求項７】
ドリル・ガイドを寛骨臼カップに挿入するための請求項５に記載の挿入取り外しツールを使用する方法であって、順次、
対向する各切欠きをばね荷重式ピンに配置するステップと、
前記ハンドルを互いに向かって移動させることによって前記ばね荷重式ピンに係合させ、前記ばね荷重式ピンを前記ドリル・ガイドから突出しないところまで内向きに移動させ、前記レバーを前記ラチェット部で所定の位置にロックし、前記ドリル・ガイドを前記寛骨臼カップに配置して前記ドリル・ガイドを前記ばね荷重式ピンが前記カップ・スロットと整列する位置に回転させ、前記レバーを前記ロック位置から解放して前記ピンを前記カップ・スロット内に移動可能にし、前記挿入取り外しツールを前記ドリル・ガイドから取り外し可能にするステップと、
を含む、挿入取り外しツールを使用する方法。
【請求項８】
寛骨臼カップからドリル・ガイドを取り外すために請求項５に記載の挿入取り外しツールを使用する方法であって、順次、
対向する各切欠きをばね荷重式ピンに配置するステップと、
前記ハンドルを互いに向かって移動させることによって前記ばね荷重式ピンを係合させ、前記ばね荷重式ピンを前記ドリル・ガイドから突出しないところまで内向きに移動させるステップと、
前記レバーを前記ラチェット部で所定位置にロックし、前記ドリル・ガイドを前記寛骨臼カップから引き出すステップと、
を含む、挿入取り外しツールを使用する方法。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
吸入可能な液体を患者に送出するための吸入器デバイスであって、前記装置が、
（１）吸入器本体と、
（２）少なくとも１つの空気入口開口と、
（３）少なくとも１つの蒸気吸入開口と、
（４）吸入可能な液体が予め充填された受動蒸発支持材料を密封収容するための蒸気不透過性フィルム又は箔を備える貯留袋と、
を備え、
貯留液体は、前記袋が開放されるときに患者への投与のために蒸気の形態で前記貯留袋から前記吸入器本体内へと放出され、更に、前記空気入口開口及び前記蒸気吸入開口が前記吸入器本体を通る空気／蒸気経路をもたらす、吸入器デバイス。
【請求項２】
吸入可能な液体を患者に送出するための吸入器デバイスであって、前記装置が、
（１）吸入可能な液体を受けるための受動蒸発支持材料を備える吸入器本体と、
（２）少なくとも１つの空気入口開口と、
（３）少なくとも１つの蒸気吸入開口と、
（４）吸入可能な液体を密封貯留するための蒸気不透過性フィルム又は箔を備える貯留袋と、
を備え、
貯留液体は、前記袋が開放されるときに患者へ投与するための蒸気を形成するために前記貯留袋から前記吸入器本体内へ及び前記受動蒸発支持材料上へ放出され、更に、前記空気入口開口及び前記蒸気吸入開口が前記吸入器本体を通る空気／蒸気経路をもたらす、吸入器デバイス。
【請求項３】
前記貯留袋は、前記吸入器本体の開口を通じて突出するプルタブを備え、前記プルタブは、前記貯留袋を開封するためにユーザが把持して引っ張ることができる請求項１又は２に記載の吸入器。
【請求項４】
前記貯留袋は、該貯留袋を開放するように前記吸入器本体と係合し、前記吸入器本体は、前記装置の移動によって動作可能な穿孔手段、穴開け手段、又は、穿刺手段を備える請求項１又は２に記載の吸入器。
【請求項５】
前記貯留袋は、前記吸入器本体に締結するための外周部を備える請求項１から４のいずれか一項に記載の吸入器。
【請求項６】
前記吸入器本体が前記貯留袋を所定位置に締結するようになっている請求項１から５のいずれか一項に記載の吸入器。
【請求項７】
前記吸入器本体は、随意的に、上側吸入器本体部及び下側吸入器本体部、内部リム、棚、及び、床から成るグループから選択される締結部を備える請求項６に記載の吸入器。
【請求項８】
前記貯留袋は、随意的に締結手段を備えることができる前記吸入器本体の上部と下部との間に挟み込むことによって所定位置に締結され、或いは、前記吸入器本体の内部リム、棚、又は、床に締結手段によって締結され得る請求項６又は７に記載の吸入器。
【請求項９】
前記吸入器本体は、
（１）基端部と、
（２）マウスピースチャンバを備えるマウスピース端部と、
（３）少なくとも１つの空気入口穴を備える空気取り入れチャンバと、
（４）長尺本体内に空気濾過手段を内部で受け入れるようになっているとともに、前記基端部に随意的に位置される少なくとも１つの空気出口穴を備える空気出口チャンバと、
（５）前記長尺本体をその長手方向軸に沿って前記基端部から部分的に分割して、前記マウスピースチャンバで終端し、前記空気取り入れチャンバの床と前記空気出口チャンバの屋根とを形成する内部棚と、
を備え、
前記貯留袋が前記空気取り入れチャンバ内に位置される、請求項１から８のいずれか一項に記載の吸入器デバイス。
【請求項１０】
前記内部棚は、平面状又は非平面状であり、１つ以上の凹陥部を随意的に備える請求項９に記載の吸入器。
【請求項１１】
前記マウスピース端部の前記内部棚に当接される二方向弁を更に備え、前記マウスピース端部を通じた患者による呼吸は、
（ａ）患者による吸気時に、前記空気取り入れチャンバと前記マウスピースチャンバとの間で前記二方向弁を開いて、蒸発した液体を蒸気の形態で患者に送出するとともに、前記空気出口チャンバと前記マウスピースチャンバとの間で前記二方向弁を閉じ、
（ｂ）患者による呼気時に、前記空気出口チャンバと前記マウスピースチャンバとの間で前記二方向弁を開いて、呼気を排気するとともに、前記空気取り入れチャンバと前記マウスピースチャンバとの間で前記二方向弁を閉じる、
請求項９又は１０に記載の吸入器。
【請求項１２】
前記空気取り入れチャンバと前記マウスピースチャンバとの間に一方向弁を更に備え、及び／又は、前記マウスピースチャンバと前記空気出口チャンバとの間に一方向弁を更に備える請求項９又は１０に記載の吸入器。
【請求項１３】
前記空気入口穴が空気取り入れ制御手段を更に備える請求項９から１２のいずれか一項に記載の吸入器。
【請求項１４】
前記空気濾過手段が活性炭を備える請求項９から１３のいずれか一項に記載の吸入器。
【請求項１５】
前記吸入器本体がレセプタクルとレセプタクル蓋とを備え、前記レセプタクル蓋は、随意的に回転可能に開放でき、随意的に該蓋を回転させて開放する際に前記蒸気不透過性フィルムを穿孔する、穴開けする、又は、穿刺するようになっている鋸歯状突出部を備える請求項１から８のいずれか一項に記載の吸入器。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
炭化水素含有プロセス流からのハロゲン化合物の除去における使用のための、アルカリ金属炭酸塩若しくはアルカリ土類金属炭酸塩から選択される金属炭酸塩及び／又はアルカリ金属重炭酸塩若しくはアルカリ土類金属重炭酸塩から選択される金属重炭酸塩とアルミナ若しくは水和アルミナから選択されるアルミニウム化合物とを含む微粒子組成物であって、金属炭酸塩及び金属重炭酸塩化合物の前記アルミニウム化合物に対する重量比が少なくとも３：１であって、金属炭酸塩及び金属重炭酸塩の総量における金属炭酸塩の量が０から７５重量％であることを特徴とする、微粒子組成物。
【請求項２】
金属炭酸塩及び金属重炭酸塩化合物の前記アルミニウム化合物に対する重量比が少なくとも４：１である、請求項１に記載の微粒子組成物。
【請求項３】
金属炭酸塩が、炭酸カリウム、炭酸カルシウム又は炭酸ナトリウムから選択される、請求項１又は２に記載の微粒子組成物。
【請求項４】
金属重炭酸塩が、重炭酸カリウム又は重炭酸ナトリウムから選択される、請求項１から３のいずれか一項に記載の微粒子組成物。
【請求項５】
金属重炭酸塩と金属炭酸塩との混合物を含有する、請求項１から４のいずれか一項に記載の微粒子組成物。
【請求項６】
金属炭酸塩及び金属重炭酸塩の総量における金属炭酸塩の量が２０から６０重量％である、請求項１から５のいずれか一項に記載の微粒子組成物。
【請求項７】
結合剤をさらに含む、請求項１から６のいずれか一項に記載の微粒子組成物。
【請求項８】
ａ．  金属炭酸塩及び／又は金属重炭酸塩化合物、
ｂ．  アルミニウム化合物、及び
ｃ．  任意選択的に結合剤
を水の存在下で一緒に混合する工程と、混合物を粒子に形成する工程とを含む、請求項１から７のいずれか一項に記載の微粒子組成物を形成する方法。
【請求項９】
形成された粒子を１２０℃未満で乾燥させる工程をさらに含む、請求項８に記載の方法。
【請求項１０】
乾燥が２５から９０℃の範囲の温度で行われる、請求項９に記載の方法。
【請求項１１】
混合物が、造粒、打錠又は押出によって粒子に形成される、請求項８から１０のいずれか一項に記載の方法。
【請求項１２】
請求項１から７のいずれか一項に記載の微粒子組成物、又は請求項８から１１のいずれか一項に記載の方法によって調製される微粒子組成物を使用して、炭化水素含有プロセス流からハロゲン化合物を除去するための方法。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
気体と液体とを接触させるためのシステムであって、
不活性粒子を含有する容器；
気体が容器に入ることを可能にするように構成された容器の基部に配置された単一のオリフィス；
気体が容器から出ることを可能にするように構成された、使用時の作動体積の表面より上に配置された気体出口；
液体が容器に入ることを可能にするように構成された液体入口；及び、
液体が容器から出ることを可能にするように構成された液体出口
を有し、
不活性粒子の総体積が、容器の総作動体積の1〜20%であり；
使用時に液体が容器の少なくとも一部分を通って、反対方向の流れで気体を通過させるように、液体入口、液体出口、気体入口及び気体出口が配置され；
液体出口が、容器内に延びた流出通路を含み；
流出通路の入口が、液体入口の下に配置され；かつ、
使用時に容器内の液体の静水圧に起因して流出通路を介して、液体が容器を出る、
前記システム。
【請求項２】
不活性粒子の総体積が容器の総作動体積の3〜15%である、請求項１に記載のシステム。
【請求項３】
不活性粒子の総体積が容器の総作動体積の5〜10%である、請求項２に記載のシステム。
【請求項４】
気体が容器の中央に導入され得るように、単一のオリフィスが容器の基部で中央に配置された、請求項１に記載のシステム。
【請求項５】
不活性粒子の密度が、液体の密度より高いか又は低い15%以下である、容器内に備えられた液体を更に含む、請求項１に記載のシステム。
【請求項６】
不活性粒子の密度が、液体の密度より高いか又は低い10%以下である、容器内に備えられた液体を更に含む、請求項５に記載のシステム。
【請求項７】
不活性粒子の密度が、液体の密度より高いか又は低い5%以下である、容器内に備えられた液体を更に含む、請求項５に記載のシステム。
【請求項８】
不活性粒子が、1〜25 mmの粒子サイズを有する、請求項１〜７のいずれか１項に記載のシステム。
【請求項９】
不活性粒子が、3〜20 mmの粒子サイズを有する、請求項８に記載のシステム。
【請求項１０】
不活性粒子が、5〜15 mmの粒子サイズを有する、請求項８に記載のシステム。
【請求項１１】
容器の基部が円錐形である、請求項１〜１０のいずれか１項に記載のシステム。
【請求項１２】
気体と液体間の混合を生成するために、容器への気体の導入によって、不活性粒子が容器内の円形又は楕円形の経路を通るようにさせる、請求項１〜１１のいずれか１項に記載のシステム。
【誤訳訂正書】
【提出日】平成31年4月4日(2019.4.4)
【誤訳訂正１】
【訂正対象書類名】特許請求の範囲
【訂正対象項目名】全文
【訂正方法】変更
【訂正の内容】
【特許請求の範囲】
【請求項１】
少なくとも１つの担体層と
前記少なくとも１つの担体層上に配置される電界紡糸膜であって、重ね合わされた繊維から形成され、孔構造を含む電界紡糸膜と
を有し、
少なくとも１ｍの水柱の水密性および少なくとも５Ｌ／ｍ２＊ｓの空気透過性を有する複合膜であって、
前記担体層が、モノフィラメント織物を有し
前記電界紡糸膜および前記少なくとも１つの担体層の前記モノフィラメント織物の両方がプラズマ被膜を有する複合膜。
【請求項２】
前記プラズマ被膜はＰＥＣＶＤ膜である請求項１に記載の複合膜。
【請求項３】
前記プラズマ被膜が、疎水性および／または疎油性特性を有する材料から形成される請求項１に記載の複合膜。
【請求項４】
前記材料が、少なくとも飽和、一価不飽和および／または多価不飽和エーテル、ケトン、アルデヒド、アルケン、アルキン、アミド、アミン、ニトリル、チオエーテル、カルボン酸エステル、チオエステル、スルホン、チオケトン、チオアルデヒド、スルフェン、スルフェンアミド、フルオロアクリレート、シロキサン、エポキシド、ウレタンおよび／またはアクリレートを含む請求項３に記載の複合膜。
【請求項５】
前記担体層が、前記電界紡糸膜と堅く接合される請求項１に記載の複合膜。
【請求項６】
前記電界紡糸膜が、２つの担体層の間に配置される請求項１に記載の複合膜。
【請求項７】
前記電界紡糸膜が、０．０８μｍ〜１００μｍの平均孔径を有する請求項１に記載の複合膜。
【請求項８】
請求項１に記載の複合膜を有する音響部品。
【請求項９】
請求項１に記載の複合膜を製造するための方法であって、
担体層が用意され、
前記担体層上に膜が配置され、前記膜は、重ね合わされた繊維のエレクトロスピニング法に従って製造されて、孔構造を有し、
ここで、
前記担体層としてモノフィラメント織物が用いられ、
前記担体層と前記膜とから成る複合膜がプラズマコーティング法を使用して処理され、表面コーティングが、前記モノフィラメント織物を有する前記担体層およびエレクトロスピニングされた前記膜の両方に適用される方法。
【請求項１０】
前記膜が、ホットメルト法によって、特に、レーザーによって、超音波溶接によって、積層によって、接着結合によって、プラズマ処理またはそれらの組合せによって、前記担体層と堅く接合される請求項９に記載の方法。
【請求項１１】
エレクトロスピニングされた前記膜が、前記担体層上に直接製造され、前記膜が、前記担体層と堅く接合されるようになる請求項９に記載の方法。
【請求項１２】
少なくとも１つのさらなる担体層が前記膜と接合され、前記膜が２つの担体層の間に配置される請求項９に記載の方法。
【誤訳訂正２】
【訂正対象書類名】明細書
【訂正対象項目名】００３０
【訂正方法】変更
【訂正の内容】
【００３０】
本発明の担体層は、特に、膜に関する支持および／または保護機能を想定するモノフィラメント織物である。好ましくは、低い音響インピーダンス、撥水、撥油、撥グリースおよび／または防塵特性を有する担体層が形成される。担体層、特に、その糸番手、幾何学形状、表面特性および開放表面の割合の正確な選択は、最終の複合膜の機能に対して相当な影響を有し得る。媒体の空気透過性が高いほど、その音響インピーダンスは低く、音響透過性はより高い。織物は、好ましくは、微細線維または糸の直径が１０μｍ〜４００μｍであり、かつ最大３００μｍのメッシュ開放部を有する。本発明の複合膜は、その音響特性およびその保護特性に関して特に良くバランスが取れている。既定の多孔度および既定のプラズマ官能基の密度に関してカスタムメイドの複合膜を作製することが可能である。
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
マッサージ装置（１）であって、
マッサージヘッド（２）に対して自転して移動可能であり、ユーザの外側の体表面に接触するように配置されているマッサージ手段（４）を備えるマッサージヘッド（２）、及び
前記マッサージヘッド（２）を担持し、前記マッサージ手段（４）を作動させる駆動手段を備えるケーシング（３）、を備え、
前記マッサージ手段（４）の少なくとも１つが、化粧品、皮膚科学的及び／又は薬剤学的な組成物で満たされ又はそれを貯留し、使用時に、前記組成物を前記外側の体表面に塗布し、同時に前記外側の体表面をマッサージすることを特徴とするマッサージ装置（１）。
【請求項２】
前記マッサージ手段は、前記マッサージヘッドから取り外し可能であることを特徴とする請求項１に記載のマッサージ装置（１）。
【請求項３】
前記マッサージヘッド（２）に取外し可能に取り付けられた支持体（４０）を備え、当該支持体に前記マッサージ手段（４）が配置されることを特徴とする請求項２に記載のマッサージ装置（１）。
【請求項４】
前記マッサージ手段（４）は、化粧品、皮膚科学的及び／又は薬剤学的な組成物を包含するように配置された内部の空洞（１３）を画定する中空の壁（１２）を備えることを特徴とする請求項１から３のいずれか一項に記載のマッサージ装置（１）。
【請求項５】
前記マッサージ手段（４）の前記空洞（１３）に配置された多孔質材料（１６）であって、多孔質材料から形成される前記壁（１２）よりも低い気孔率を有する多孔質材料（１６）を備えることを特徴とする請求項４に記載のマッサージ装置（１）。
【請求項６】
前記マッサージ手段（４）は、化粧品、皮膚科学的及び／又は薬剤学的な組成物で覆われた壁（１２）を備えることを特徴とする請求項１から３のいずれか一項に記載のマッサージ装置（１）。
【請求項７】
前記マッサージ手段（４）は、化粧品、皮膚科学的及び／又は薬剤学的な組成物を包含するように配置されたマイクロカプセルを備える繊維材料のカバーリングで覆われた壁（１２）を備えることを特徴とする請求項１から３のいずれか一項に記載のマッサージ装置（１）。
【請求項８】
化粧品及び／又は皮膚科学的及び／又は薬剤学的な組成物を包含するように配置されたリザーバ（３１）を備えることを特徴とする請求項４に記載のマッサージ装置（１）。
【請求項９】
前記リザーバ（３１）は、前記マッサージ手段（４）の前記空洞（１３）内に配置されていることを特徴とする請求項８に記載のマッサージ装置（１）。
【請求項１０】
前記リザーバ（３１）は、スロット（３３）が設けられている可撓性で変形可能な壁を備える包囲体によって形成され、前記壁は、前記マッサージ手段（４）の前記空洞（１３）の内面に適合するように配置されていることを特徴とする請求項９に記載のマッサージ装置（１）。
【請求項１１】
内容物を抽出するために前記リザーバに作用するように構成された抽出機構（３４）を備えることを特徴とする請求項８から１０のいずれか一項に記載のマッサージ装置（１）。
【請求項１２】
前記マッサージ手段（４）の前記壁は、球状、半球状又は円筒状であることを特徴とする請求項４から１１のいずれか一項に記載のマッサージ装置（１）。
【請求項１３】
前記マッサージ手段（４）は、少なくとも１つの回転軸線に沿って移動するべく取り付けられていることを特徴とする請求項１から１２のいずれか一項に記載のマッサージ装置（１）。
【請求項１４】
前記化粧品及び／又は皮膚科学的及び／又は薬剤学的な組成物を包含していることを特徴とする請求項１から１３のいずれか一項にマッサージ記載の装置（１）。
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
画像領域における微小脈管構造の超音波コントラスト画像を生成する装置であって、
高調波エコー信号に応答し、造影剤から受信される高調波信号を処理して、ある期間内のある時点に対する前記イメージング領域内の複数の空間位置の各々に対してコントラストデータ値を生成するように構成されるコントラスト時間プロセッサであって、前記画像領域内の空間位置に対する前記コントラストデータ値は前記期間にわたって異なる方法で生成され、前記期間は前記造影剤の少なくとも一つのウォッシュイン段階を含む、コントラスト時間プロセッサと、
前記生成されるコントラストデータ値を受信するように結合され、所望の画像フォーマットにおける前記時点に対する前記複数の空間位置に対して前記生成されるコントラストデータ値を構成することによって前記時点に対するコントラスト画像を生成するように構成されるスキャンコンバータと
を有する、装置。
【請求項２】
画像領域内の微小脈管構造のコントラスト強調イメージングのための超音波診断イメージングシステムであって、
超音波ビームを送信し、超音波エコー信号を受信するように構成される超音波プローブと、
コヒーレントエコー信号を生成するために前記エコー信号をビーム形成するように構成されるビームフォーマと、
前記コヒーレントエコー信号に応答し、造影剤から受信される分離高調波エコー信号を生成するように構成される信号セパレータと、
請求項１に記載の超音波コントラスト画像を生成する装置と、
前記スキャンコンバータに結合され、コントラスト画像を表示するように構成されるディスプレイと
を有する、超音波診断イメージングシステム。
【請求項３】
前記コントラスト時間プロセッサは、前記高調波エコー信号を処理して異なって処理されるコントラストデータ値を生成するように構成される時間平均化計算器及び最大強度検出器を更に有する、請求項２に記載の超音波診断イメージングシステム。
【請求項４】
前記コントラスト時間プロセッサは、前記最大強度検出器によって生成されるコントラストデータ値を重み付けするように構成される最大強度重み付け回路と、前記時間平均化計算器によって生成されるコントラストデータ値を重み付けするように構成される時間平均化重み付け回路とを更に有する、請求項３に記載の超音波診断イメージングシステム。
【請求項５】
前記コントラスト時間プロセッサは、前記重み付けされるコントラストデータ値を合計するように構成される加算器を更に有する、請求項４に記載の超音波診断イメージングシステム。
【請求項６】
前記信号セパレータから受信される高調波エコー信号を記憶するように構成されるフレームバッファを更に有する、請求項５に記載の超音波診断イメージングシステム。
【請求項７】
前記コントラスト時間プロセッサは、前記フレームバッファからの高調波エコー信号に応答し、コントラストウォッシュインの連続する段階の時間 - 強度曲線を生成するように構成される、時間 - 強度曲線トリガ回路を更に有する、請求項６に記載の超音波診断イメージングシステム。
【請求項８】
前記時間 - 強度曲線は、初期ウォッシュイン段階及び後のウォッシュアウト段階を画定し、
前記時間 - 強度曲線は、前記最大強度重み付け回路及び前記時間平均化重み付け回路をトリガして、前記初期段階の間の最大強度コントラスト値及び前記後の段階の間の時間平均化コントラスト値を生成する、
請求項７に記載の超音波診断イメージングシステム。
【請求項９】
前記時間 - 強度曲線は、前記初期段階に後続する中間段階を更に画定し、
前記時間 - 強度曲線は、前記最大強度重み付け回路及び前記時間平均化重み付け回路をトリガして、前記中間段階の間に最大強度コントラスト値及び時間平均化コントラスト値を生成し、
前記加算器は、前記中間段階の間に前記最大強度コントラスト値及び前記時間平均化コントラスト値の組み合わせを生成するように構成される、
請求項８に記載の超音波診断イメージングシステム。
【請求項１０】
前記最大強度重み付け回路は、前記中間段階の間に減少重み付け関数を利用するように構成され、
前記時間平均化重み付け関数は、前記中間段階の間に増加重み付け関数を利用するように構成される、
請求項９に記載の超音波診断イメージングシステム。
【請求項１１】
前記コントラスト時間プロセッサは、前記時間 - 強度曲線トリガ回路によって生成される時間 - 強度曲線のパラメータを記憶するように構成される時間 - 強度履歴バッファを更に有する、請求項７に記載の超音波診断イメージングシステム。
【請求項１２】
前記時間 - 強度曲線トリガ回路は、第1のコントラストウォッシュイン期間の間に記憶されるパラメータを利用して、第2のコントラストウォッシュイン期間の間に前記重み付け回路をトリガするように構成される、請求項１１に記載の超音波診断イメージングシステム。
【請求項１３】
前記パラメータは、初期ウォッシュイン段階の終了を画定する第1のパラメータt2と、後のウォッシュアウト段階の開始を画定する第2のパラメータt3とを有する、請求項１２に記載の超音波診断イメージングシステム。
【請求項１４】
前記信号セパレータは、分離基本周波数エコー信号をするように更に構成され、前記システムは、
基本周波数エコー信号に応答し、検出Bモード信号を生成するように構成されるBモード検出器と、
前記検出Bモード信号に応答し、前記所望の画像フォーマットでBモード画像を生成するように構成されるスキャンコンバータと、
前記コントラスト画像及び前記Bモード画像に応答し、前記Bモード画像及び前記コントラスト画像の組み合わせを有する画像を生成するように構成される画像プロセッサと
を更に有する、請求項２に記載の超音波診断イメージングシステム。
【請求項１５】
前記時間 - 強度曲線は、出現段階、増加段階、及びピーク段階を画定し、
前記時間 - 強度曲線は、前記最大強度重み付け回路及び前記時間平均化重み付け回路をトリガして、前記出現段階の間の最大強度コントラスト値、前記ピーク段階の間の時間平均化コントラスト値、及び前記増加段階の間の最大強度コントラスト値と時間平均化コントラスト値との組み合わせを生成する、
請求項７に記載の超音波診断イメージングシステム。